(57)【要約】【課題】間接活線作業において通電部の電流を効率よく計測することができる間接活線工具用電流計を提供する。【解決手段】本発明に係る間接活線工具用電流計１は、開閉可能な一対のクランプ片１０ａ，１０ｂを有するクランプ部１０であって、該一対のクランプ片１０ａ，１０ｂが閉じられることによって該一対のクランプ片１０ａ，１０ｂが計測の対象となる通電部Ｃを囲むクランプ部１０と、絶縁操作棒２に連結可能で、絶縁操作棒２の周方向の回動によって回動する操作部１６と、該操作部１６の回動に伴って一対のクランプ片１０ａ，１０ｂを開閉する駆動伝達部１５とを備える。【選択図】図１
2017146143.tif 000002
【特許請求の範囲】
【請求項１】
開閉可能な一対のクランプ片を有するクランプ部であって、該一対のクランプ片が閉じられることによって該一対のクランプ片が計測の対象となる通電部を囲むクランプ部と、絶縁操作棒に連結可能で、絶縁操作棒の周方向の回動によって回動する操作部と、該操作部の回動に伴って一対のクランプ片を開閉する駆動伝達部とを備えたことを特徴とする間接活線工具用電流計。
【請求項２】
前記駆動伝達部は、前記操作部が連結された回動軸と、該回動軸に設けられたウォームギヤと、該ウォームギヤに噛合するウォームホイールであって、前記一対のクランプ片のうち、一方のクランプ片に対し接離可能に構成された他方のクランプ片の回転中心と同心に回転するウォームホイールとを備えたことを特徴とする請求項１に記載の間接活線工具用電流計。
【請求項３】
前記駆動伝達部は、閉状態にある前記一対のクランプ片に対する閉方向のさらなる移動を規制するストッパ又はクラッチを有することを特徴とする請求項１又は２に記載の間接活線工具用電流計。
【請求項４】
前記一対のクランプ片の互いの対向面のそれぞれには、滑り止め部材が配置されたことを特徴とする請求項１乃至３のいずれか１項に記載の間接活線工具用電流計。
【発明の詳細な説明】
【技術分野】
【０００１】
本発明は、通電部の電流を計測する間接活線工具用電流計に関する。
【背景技術】
【０００２】
従来から通電部（電線）の電流を計測するためにクランプ式電流計が使用される。該電流計は、図９に示す如く、計測対象となる通電部Ｃを囲むクランプ部１０１であって、開閉可能な一対のクランプ片（測定子）１０２，１０３を有するクランプ部１０１を備える。一対のクランプ片のうち一方は固定側クランプ片１０２であり、他方は、固定側クランプ片１０２に対して接離可能な可動側クランプ片１０３である。
【０００３】
間接活線工事においても前記電流計１００は使用される。この場合、図９に示す如く、二本の絶縁操作棒（共用操作棒）１０５，１０５が用いられる。具体的には、一方の絶縁操作棒１０５で電流計１００をセットし、他方の絶縁操作棒１０５で電流計１００を操作する。
【０００４】
絶縁操作棒１０５は、棒本体１０６と、該棒本体１０６の基端側に配置された把持部（図示せず）であって、作業者が把持する把持部と、棒本体１０６の先端部に配置された接続部１０７とを備える。
【０００５】
二本の絶縁操作棒１０５，１０５には、それぞれの用途に応じて専用のアダプタが取り付けられる。例えば、一方の絶縁操作棒１０５の先端には、前記電流計１００を取り付けるためのセット用アダプタ１１０が装着される。他方の絶縁操作棒１０５の先端には、前記電流計１００のクランプ部１０１を操作する操作用アダプタ１１５が装着される（特許文献１参照）。
【０００６】
セット用アダプタ１１０は、前記接続部１０７に取付可能なケース１１１であって、通電部Ｃに対してアプローチ可能に電流計１００がセットされる上面開口部を有するケース１１１を備える。
【０００７】
操作用アダプタ１１５は、前記接続部１０７に取付可能なフック１１６であって、閉じられた状態の電流計１００のクランプ部１０１を開いた状態に操作するためのフック１１６を備える。
【０００８】
つぎに、前記電流計１００による通電部Ｃの電流の計測方法について説明する。まず、一方の絶縁操作棒１０５の接続部１０７にセット用アダプタ１１０のケース１１１を装着して、該ケース１１１の上面開口から電流計１００のクランプ部１０１が突出するように、ケース１１１内に電流計１００を挿入して予めセットしておく。また、閉じられた状態の電流計１００のクランプ部１０１を開くための操作用アダプタ１１５のフック１１６を他方の絶縁操作棒１０５の接続部１０７に取り付けておく。
【０００９】
そして、一人の作業者が二本の絶縁操作棒１０５，１０５を両手に持って操作する。具体的には、一方の絶縁操作棒１０５のセット用アダプタ１１０にセットされた電流計１００を通電部Ｃの近傍に配置し、他方の絶縁操作棒１０５の操作用アダプタ１１５のフック１１６を電流計１００の可動側クランプ片１０３に引っ掛けて、該可動側クランプ片１０３を固定側クランプ片１０２から引き離し、一対のクランプ片１０２，１０３を開いた状態にする。
【００１０】
つぎに、フック１１６によって可動側クランプ片１０３を開いた状態に維持しつつ、一対のクランプ片１０２，１０３間に通電部Ｃを位置させ、この状態で、可動側クランプ片１０３からフック１１６を外して一対のクランプ片１０２，１０３を閉じた状態に戻す。
【００１１】
そして、通電部Ｃを一対のクランプ片１０２，１０３によって挟み込んで、通電部Ｃの電流を電流計１００で測定する。
【先行技術文献】
【特許文献】
【００１２】
【特許文献１】特開２００９−２７０５号公報
【発明の概要】
【発明が解決しようとする課題】
【００１３】
ところで、電流計１００をセットして通電部Ｃにアプローチするための一方の絶縁操作棒１０５と、閉じられた電流計１００のクランプ部１０１を開閉させるための他方の絶縁操作棒１０５とを、一人の作業者が両手に持って作業するには多大の労力が必要になる。特に、柱上での作業では、作業姿勢が安定しづらく作業性が悪い、という問題がある。
【００１４】
そこで、本発明は、上記問題に鑑み、間接活線作業において通電部の電流を効率よく計測できる間接活線工具用電流計を提供することを目的とする。
【課題を解決するための手段】
【００１５】
本発明に係る間接活線工具用電流計は、開閉可能な一対のクランプ片を有するクランプ部であって、該一対のクランプ片が閉じられることによって該一対のクランプ片が計測の対象となる通電部を囲むクランプ部と、絶縁操作棒に連結可能で、絶縁操作棒の周方向の回動によって回動する操作部と、該操作部の回動に伴って一対のクランプ片を開閉する駆動伝達部とを備えたことを特徴とする。
【００１６】
かかる構成によれば、操作部に絶縁操作棒が連結されることにより、計測対象となる通電部に対して電流計をアプローチできる。また、連結された絶縁操作棒を手動で回動させて、この回動力を操作部、駆動伝達部を介して一対のクランプ片に伝達させる。これにより、一対のクランプ片が開閉可能になる。したがって、一人の作業者が１本の絶縁操作棒を操作することで、電流計の通電部へのアプローチと、一対のクランプ片の開閉操作とを行うことができる。
【００１７】
本発明に係る間接活線工具用電流計の一態様として、前記駆動伝達部は、前記操作部が連結された回動軸と、該回動軸に設けられたウォームギヤと、該ウォームギヤに噛合するウォームホイールであって、前記一対のクランプ片のうち、一方のクランプ片に対し接離可能に構成された他方のクランプ片の回転中心と同心に回転するウォームホイールとを備えることが好ましい。
【００１８】
かかる構成によれば、ウォームギヤの回転によってウォームホイールが回転する。このとき、ウォームホイールの回転中心が、一方のクランプ片に対し接離可能に構成された他方のクランプ片の回転中心と同心であるため、ウォームホイールの回転に伴って他方のクランプ片が回転することになる。すなわち一方のクランプ片に対して他方のクランプ片が接離するようになる。また、外部から他方のクランプ片に一方のクランプ片側への操作力が加わっても、ウォームホイールが回転しないため、他方のクランプ片を所定の位置に保持（ロック）することができる。したがって、計測時において一対のクランプ片が閉状態にロックされるため、通電部の電流の計測を確実に行えるとともに、通電部からの電流計の落下を防止することができる。
【００１９】
本発明に係る間接活線工具用電流計の他態様として、前記駆動伝達部は、閉状態にある前記一対のクランプ片に対する閉方向のさらなる移動を規制するストッパ又はクラッチを有することが好ましい。
【００２０】
かかる構成によれば、閉状態にある一対のクランプ片に対する閉方向のさらなる移動がストッパ又はクラッチにより規制されるため、一対のクランプ片の破損を防止することができる。
【００２１】
また、本発明に係る間接活線工具用電流計の他態様として、一対のクランプ片の互いの対向面のそれぞれに滑り止め部材を配置したことが好ましい。
【００２２】
かかる構成によれば、一対のクランプ片の互いの対向面に配置された滑り止め部材が通電部を挟むことにより、電流計を通電部に取り付けたときから撤去するときまでの位置（電流計による通電部の計測位置）がずれることがなく、計測位置における電流値を確実に計測することができる。
【発明の効果】
【００２３】
以上のように、本発明によれば、間接活線工事において、通電部の電流を効率よく計測することができる。
【図面の簡単な説明】
【００２４】
【図１】図１は、本発明の第一実施形態に係る間接活線工具用電流計を示す図である。
【図２】図２は、図１の電流計において閉じた状態のクランプ部を示す図である。
【図３】図３は、本発明の第二実施形態に係る間接活線工具用電流計を示す図である。
【図４】図４は、図３の電流計において閉じた状態のクランプ部を示す図である。
【図５】図５は、本発明の第三実施形態に係る間接活線工具用電流計を示す図である。
【図６】図６は、図５の電流計において閉じた状態のクランプ部を示す図である。
【図７】図７は、間接活線工具としての共用操作棒（絶縁操作棒）を示す図である。
【図８】図８は、本発明の他の実施形態に係る間接活線工具用電流計を示す図である。
【図９】図９は、電流計を絶縁操作棒の先端に取り付けて、通電部の電流を計測する状態を示す図である。
【発明を実施するための形態】
【００２５】
本発明の実施形態に係る間接活線工具用電流計（以下、単に電流計という場合もある）について図面を参照しながら説明する。なお、本実施形態においては、間接活線工具として共用操作棒（以下、絶縁操作棒という）を使用する。また、計測対象となる通電部としては、電線を対象とする。
【００２６】
（第一実施形態）
まず、第一実施形態に係る間接活線用電流計を説明するに先立って、前提となる絶縁操作棒について説明する。該絶縁操作棒２は、図７に示す如く、棒本体２０と、該棒本体２０の基端側に配置された把持部２１であって、作業者が把持する把持部２１と、後述する電流計１の操作部１６が接続可能な接続部２２であって、棒本体２０の先端部に配置された接続部２２とを備える。
【００２７】
接続部２２は、軸方向に対して直交方向の位置にある棒本体２０の両側面から径外方向に突設された一対のピン２２０，２２０であって、後述する電流計１の操作部１６に係合可能な一対のピン２２０，２２０と、棒本体２０の先端部の端面に対して軸方向に進退可能に配設された突起２２１であって、内蔵スプリング（図示せず）により軸方向に付勢されている突起２２１とを有する。
【００２８】
つぎに、第一実施形態に係る間接活線工具用電流計について説明する。該間接活線工具用電流計は、図１及び図２に示す如く、開閉可能な一対のクランプ片（測定子）１０ａ，１０ｂを有するクランプ部１０であって、該一対のクランプ片１０ａ，１０ｂが閉じられることによって該一対のクランプ片１０ａ，１０ｂが計測の対象となる通電部Ｃを囲むクランプ部１０と、絶縁操作棒２に連結可能で、絶縁操作棒２の周方向の回動によって回動する操作部１６と、該操作部１６の回動に伴って一対のクランプ片１０ａ，１０ｂを開閉可能に構成された駆動伝達部１５とを備える。
【００２９】
一対のクランプ片１０ａ，１０ｂのうち一方は、クランプ部１０を有する電流計本体１ａに固定された固定側クランプ片１０ａであり、他方は、回動軸１５０の回動によって所定の軸周りに回動する可動側クランプ片１０ｂであって、固定側クランプ片１０ａに当接することによって通電部Ｃを囲む可動側クランプ片１０ｂである。また、固定側クランプ片１０ａ及び可動側クランプ片１０ｂのそれぞれの対向面には、滑り止め部材１１が配置される。
【００３０】
また、本実施形態において、一対のクランプ片１０ａ，１０ｂは、磁気コアが内部に設けられる（図示せず）。電流計本体１ａは、通電部Ｃの電流を検知及び記録する電流測定部Ｓと、検知及び記録した電流値を表示する表示部（メータ）Ｍとを備える。
【００３１】
駆動伝達部１５は、クランプ部１０を有する電流計本体１ａ内に回動可能に設けられた回動軸１５０であって、操作部１６が連結された回動軸１５０を備える。本実施形態においては、電流計本体１ａから外部に導出された回動軸１５０の基端部に操作部１６が連結される。該操作部１６の周面には、絶縁操作棒２の一対のピン２２０，２２０が係止する係止溝１６ａが形成される。
【００３２】
また、駆動伝達部１５は、固定側クランプ片１０ａに対する可動側クランプ片１０ｂの移動を規制するクラッチ１７を有する。該クラッチ１７は、本実施形態において、回動軸１５０の基端部側に設けられ、回動軸１５０に対して所定以上の回動力を加えたときに、可動側クランプ片１０ｂへの操作力の伝達を断って、固定側クランプ片１０ａ及び可動側クランプ片１０ｂの過度に挟んだことによるクランプ部（磁気コアを含む）１０の破損を防止する。
【００３３】
また、駆動伝達部１５は、前記一対のクランプ片１０ａ，１０ｂを閉状態にロックするロック機構Ｌを備える。具体的には、回動軸１５０の先端部に設けられたウォームギヤ１８と、該ウォームギヤ１８に噛合するウォームホイール１９であって、固定側クランプ片１０ａに対し接離可能に構成された可動側クランプ片１０ｂの回転軸Ｊ（回転中心）と同心に回転するウォームホイール１９とを備える。
【００３４】
つぎに第一実施形態に係る間接活線工具用電流計の使用態様について説明する。なお、スタンバイ状態において、電流計１の固定側クランプ片１０ａ及び可動側クランプ片１０ｂは、閉じられた状態にあるものとする。
【００３５】
まず、作業者は、電流計本体１ａと絶縁操作棒２の棒本体２０を連結する。具体的には、電流計本体１ａの操作部１６に、絶縁操作棒２の先端部を差し込んで突起２２１を内蔵スプリング（図示せず）の弾性力に抗して沈ませつつ、一対のピン２２０，２２０を操作部１６の係止溝１６ａに進入させて回転させる。これにより、突起２２１がスプリングの弾性力により突出し、操作部１６の係止溝１６ａに一対のピン２２０，２２０が係止する。その結果、絶縁操作棒２の先端部が電流計本体１ａに連結され、絶縁操作棒２と電流計１とが一体化される。
【００３６】
つぎに、作業者は、通電部Ｃの近傍で絶縁操作棒２を手動で正方向に回転させると、操作部１６の回動に伴って回動軸１５０が回動し、これに連動して、ウォームギヤ１８及びウォームホイール１９が回転し、可動側クランプ片１０ｂが固定側クランプ片１０ａから離脱し、固定側クランプ片１０ａ及び可動側クランプ片１０ｂが開放された状態になる。
【００３７】
この開放状態で、作業者は絶縁操作棒２を介して電流計１を通電部Ｃにアプローチし、固定側クランプ片１０ａ及び可動側クランプ片１０ｂの間に通電部Ｃを位置させる。
【００３８】
つぎに、作業者は、絶縁操作棒２を手動で逆方向に回転させて、固定側クランプ片１０ａの先端に可動側クランプ片１０ｂの先端を当接させる。このとき、固定側クランプ片１０ａ及び可動側クランプ片１０ｂのそれぞれの対向面に配置された滑り止め部材１１，１１が通電部Ｃを挟むことになり、通電部Ｃにおける電流計測位置から電流計１がずれることが防止される。すなわち通電部Ｃにおける計測位置での電流を計測することができる。具体的には、電流計１を通電部Ｃに取り付けたときから撤去するときまでの位置（電流計１による通電部Ｃの計測位置）がずれることがなく、計測位置における電流値を確実に計測することができる。また、閉状態にある一対のクランプ片１０ａ，１０ｂに対して閉方向のさらなる移動が、絶縁操作棒２によって加えられたとしても、クラッチ１７によって固定側クランプ片１０ａに対する可動側クランプ片１０ｂの移動が規制される。したがって、一対のクランプ片１０ａ，１０ｂによって通電部Ｃを必要以上に挟むことがなく、過度に挟むことによるクランプ部１０の破損を防止することができる。
【００３９】
このように、第一実施形態に係る間接活線工具用電流計によれば、通電部Ｃにおける電流を効率よく計測することができるとともに、通電部Ｃからの電流計１の落下を防止することができる。
【００４０】
（第二実施形態）
つぎに第二実施形態に係る間接活線工具用電流計について図３及び図４を参照して説明する。これらの図において、図１と同一符号は同一もしくは相当するものを示し、異なる点のみを説明する。
【００４１】
異なる点は、固定側クランプ片３ａ及び可動側クランプ片３ｂの構成と、固定側クランプ片３ａに対して可動側クランプ片３ｂを接離させるための機構とである。これらを含めて具体的に説明する。
【００４２】
固定側クランプ片３ａは、回動軸１５１に対して直交方向に位置する固定部３０ａと、該固定部３０ａに平行する固定側当接部３１ａであって、可動側クランプ片３ｂの可動側当接部３１ｂが接離可能な固定側当接部３１ａと、固定部３０ａと固定側当接部３１ａとを連結する連結部３２ａとを備える。
【００４３】
可動側クランプ片３ｂは、回動軸１５１に螺合する雌ねじからなる平板状の移動部３０ｂであって、回動軸１５１の回動によって回動軸１５１に沿って進退する移動部３０ｂと、固定側クランプ片３ａの固定部３０ａを跨いで移動部３０ｂの両端部に連結された可動側当接部３１ｂとを有する。また、本実施形態において可動側クランプ片３ｂは、ストッパ５によって固定側クランプ片３ａに対する移動が規制される。
【００４４】
ストッパ５は、回動軸１５１に螺合する雌ねじからなる平板状の移動部５０と、該移動部５０の端部から固定側当接部３１ａに向かって延出された当接部５１であって、固定側当接部３１ａに当接して可動側クランプ片３ｂの固定側クランプ片３ａへの移動を規制する当接部５１とを備える。
【００４５】
また、本実施形態において、固定側当接部３１ａ及び可動側当接部３１ｂの互いの対向面には、一対の滑り止め部材３３ａ，３３ａと、当該一対の滑り止め部材３３ａ，３３ａの間隔よりも幅広の滑り止め部材３３ｂがそれぞれ配置される。具体的には、固定側当接部３１ａの対向面には、一対の滑り止め部材３３ａ，３３ａが所定の間隔をおいて配置される。可動側当接部３１ｂの対向面には、一対の滑り止め部材３３ａ，３３ａに跨るように滑り止め部材３３ｂが配置される。また、本実施形態において、固定側クランプ片３ａ及びストッパ５の当接部５１の内部には、磁気コアＭＣが設けられる。
【００４６】
つぎに第二実施形態に係る間接活線工具用電流計の使用態様について説明する。なお、絶縁操作棒２と電流計１Ａとの連結作業、及び、固定側クランプ片３ａ及び可動側クランプ片３ｂが開放された状態で通電部Ｃにアプローチする作業については、前記第一実施形態と同様であるため、その説明は省略する。
【００４７】
つぎに、作業者は、アプローチした状態、すなわち固定側クランプ片３ａ及び可動側クランプ片３ｂが開放された状態から、回動軸１５１を回動して、固定側クランプ片３ａに向かって可動側クランプ片３ｂ及びストッパ５を移動させる。さらなる回動軸１５１の回動によって、固定側クランプ片３ａ及び可動側クランプ片３ｂが通電部Ｃを囲むとともに、固定側クランプ片３ａの固定側当接部３１ａにストッパ５の当接部５１が当接する。これにより、通電部Ｃを囲んだときの可動側クランプ片３ｂの閉方向の移動が規制され、通電部Ｃを囲んだ状態に保持することができる。すなわち通電部Ｃにおける計測位置の電流を計測することができる。具体的には、電流計１Ａを通電部Ｃに取り付けたときから撤去するときまでの位置（電流計１Ａによる通電部Ｃの計測位置）がずれることがなく、計測位置における電流値を確実に計測することができる。
【００４８】
このように、第二実施形態に係る間接活線工具用電流計によれば、通電部Ｃにおける電流を効率よく計測することができるとともに、通電部Ｃからの電流計１Ａの落下を防止することができる。
【００４９】
（第三実施形態）
つぎに第三実施形態に係る間接活線工具用電流計について図５及び図６を参照して説明する。これらの図において、図３と同一符号は同一もしくは相当するものを示し、異なる点のみを説明する。異なる点は、一対のクランプ片４ａ，４ｂの構成と、回動軸１５１の構成とである。
【００５０】
一対のクランプ片のうちの一方の固定側クランプ片４ａは、回動軸１５１に対して直交方向に位置する固定部４０ａと、該固定部４０ａに平行する固定側当接部４１ａであって、可動側クランプ片４ｂの可動側当接部４１ｂが接離可能な固定側当接部４１ａと、固定部４０ａと固定側当接部４１ａとを連結する連結部４２ａとを備える。
【００５１】
一対のクランプ片のうちの他方の可動側クランプ片４ｂは、回動軸１５１に螺合する雌ねじからなる平板状の移動部４０ｂであって、回動軸１５１の回動によって回動軸１５１に沿って進退する移動部４０ｂと、該移動部４０ｂの端部から固定側クランプ片４ａの固定側当接部４１ａに向かって延出して形成された可動側当接部４１ｂであって、固定側クランプ片４ａの固定側当接部４１ａに対して接離可能で、固定側クランプ片４ａに対する可動側クランプ片４ｂの移動を規制する可動側当接部４１ｂとを有する。
【００５２】
本実施形態において、固定側クランプ片４ａ及び可動側クランプ片４ｂの可動側当接部４１ｂの内部には、磁気コアＭＣが設けられる。そして、一対のクランプ片４ａ，４ｂの間に通電部Ｃを配置することで、通電部Ｃの電流を計測することになる。
【００５３】
回動軸１５１は、可動側クランプ片４ｂの可動側当接部４１ｂが固定側クランプ片４ａの固定側当接部４１ａに接離するストロークを有する雄ねじからなる。
【００５４】
つぎに第三実施形態に係る間接活線工具用電流計の使用態様について説明する。なお、絶縁操作棒２と電流計１Ｂとの連結作業、及び、固定側クランプ片４ａ及び可動側クランプ片４ｂが開放された状態で通電部Ｃにアプローチする作業については、前記第二実施形態と同様であるため、その説明は省略する。
【００５５】
つぎに、作業者は、アプローチした状態、すなわち固定側クランプ片４ａ及び可動側クランプ片４ｂが開放された状態から、回動軸１５１を回動すると、固定側クランプ片４ａに向かって可動側クランプ片４ｂが移動する。さらなる回動軸１５１の回動によって、固定側クランプ片４ａ及び可動側クランプ片４ｂが通電部Ｃを囲むとともに、固定側クランプ片４ａの固定部４０ａに可動側クランプ片４ｂの可動側当接部４１ｂが当接する。これにより、通電部Ｃを囲んだときの可動側クランプ片４ｂの閉方向の移動が規制され、通電部Ｃを囲んだ状態に保持することができる。すなわち通電部Ｃにおける計測位置の電流を計測することができる。
【００５６】
このように、第三実施形態に係る間接活線工具用電流計によれば、通電部Ｃにおける電流を効率よく計測することができるとともに、通電部Ｃからの電流計１Ｂの落下を防止することができる。
【００５７】
なお、本発明は、前記第一〜第三実施形態に限定されるものではなく、本発明の要旨を逸脱しない範囲で種々変更を加え得ることは勿論のことである。
【００５８】
例えば、前記実施形態の場合、ウォームギヤ１８及びウォームホイール１９、又は回動軸１５１を移動するねじ構造によって、可動側クランプ片を固定側クランプ片に対して開閉させるようにしたが、カム機構を用いて開閉させるようにしてもよい。
【００５９】
具体的には、図８に示す如く、第二収納部Ｋ２に配置された計測部Ｒであって、通電部Ｃの電流を計測する計測部Ｒと、第一収納部Ｋ１内に配置された駆動伝達部Ｇであって、計測部Ｒの一対のクランプ片５ａ，５ｂを開閉させるための軸及び歯車機構を有する駆動伝達部Ｇとを備える。なお、一対のクランプ片のうち一方は、固定側クランプ片５ａであり、他方は可動側クランプ片５ｂである。
【００６０】
計測部Ｒは、一対のクランプ片５ａ，５ｂを有するクランプ部と、通電部Ｃの電流を検知する電流測定部Ｓ、及び、検知した電流値を表示する表示部（メータ）Ｍを有する本体とを備える。
【００６１】
駆動伝達部Ｇは、回動軸１５０の先端部に配置された第一傘歯車Ｇ１と、回動軸１５０に対して直交方向に配置された伝達軸１５２であって、一端部に第一傘歯車Ｇ１に噛合する第二傘歯車Ｇ２、及び他端部に後述する操作軸１５３の第四傘歯車Ｇ４に噛合する第三傘歯車Ｇ３が配置された伝達軸１５２と、回動軸１５０と同一方向に配置された操作軸１５３であって、一端部に前記第三傘歯車Ｇ３に噛合する第四傘歯車Ｇ４が配置されるとともに、他端部に可動側クランプ片５ｂを開閉操作するための楕円状のカムｃａｍが配置された操作軸１５３とを備える。
【００６２】
かかる構成の間接活線工具用電流計１Ｃによれば、絶縁操作棒２の回動によって、操作部１６及び回動軸１５０が回動し、この回動が第一傘歯車Ｇ１〜第四傘歯車Ｇ４を介して操作軸１５３に伝達され、操作軸１５３の回動に伴ってカムｃａｍが回動し、カムｃａｍの回動によって可動側クランプ片５ｂが固定側クランプ片５ａに対して接離することになる。
【符号の説明】
【００６３】
１，１Ａ，１Ｂ，１Ｃ…間接活線工具用電流計、１ａ…電流計本体、１０…クランプ部、１０ａ，３ａ，４ａ…固定側クランプ片、１０ｂ，３ｂ，４ｂ…可動側クランプ片、５…ストッパ、１５，Ｇ…駆動伝達部、１６…操作部、１７…クラッチ、１８…ウォームギヤ、１９…ウォームホイール、１５０，１５１…回動軸、１１，４３ａ，４３ｂ…滑り止め部材、２…絶縁操作棒、２２…接続部、Ｌ…ロック機構、Ｃ…通電部、ＭＣ…磁気コア
【図１】
2017146143.tif 000003
【図２】
2017146143.tif 000004
【図３】
2017146143.tif 000005
【図４】
2017146143.tif 000006
【図５】
2017146143.tif 000007
【図６】
2017146143.tif 000008
【図７】
2017146143.tif 000009
【図８】
2017146143.tif 000010
【図９】
2017146143.tif 000011